(57)【要約】【課題】エレベータの階床設定における作業員の負担を軽減することを可能とする。【解決手段】実施形態に係る階床設定システムは、例えば、複数の階床に１対１に対応し、且つ、それぞれが、対応する階床に設置されるホール制御装置に供給される電源の電圧値を測定するための、複数の電圧測定部を備える。さらに、実施形態に係る階床設定システムは、例えば、複数の電圧測定部により測定された複数の電圧値に基づき複数の階床を特定する階床特定部を備える。【選択図】図２
2019214471.tif 000002
【特許請求の範囲】
【請求項１】
複数の階床に１対１に対応し、且つ、それぞれが、対応する階床に設置されるホール制御装置に供給される電源の電圧値を測定する複数の電圧測定部と、
前記複数の電圧測定部により測定された複数の前記電圧値に基づき前記複数の階床を特定する階床特定部と、
を備える
ことを特徴とする階床設定システム。
【請求項２】
前記ホール制御装置に含まれる、
エレベータの運行を制御する中央制御装置が該ホール制御装置と通信を行うための通信アドレスを記憶するアドレス記憶部と、
前記アドレス記憶部に記憶される前記通信アドレスを、前記複数の電圧測定部のうち該ホール制御装置が含む電圧測定部により測定された前記電圧値に応じて書き換えるアドレス設定部と、
をさらに備える
ことを特徴とする請求項１に記載の階床設定システム。
【請求項３】
前記複数の電圧測定部により測定された複数の前記電圧値と、前記複数の階床に設置された複数の前記ホール制御装置の数と、に基づき、前記複数の電圧測定部が正常動作しているか否かを判定する電圧値確認部をさらに備える
ことを特徴とする請求項１に記載の階床設定システム。
【請求項４】
前記電圧値確認部は、
前記ホール制御装置の数に基づき電圧降下理論曲線を算出し、該電圧降下理論曲線と、前記複数の電圧測定部により測定された複数の前記電圧値と、を比較することで前記判定を実行する
ことを特徴とする請求項３に記載の階床設定システム。
【請求項５】
前記複数の電圧測定部により測定された前記複数の電圧値が含む電圧値の数と、前記複数の階床が含む階床の数と、に基づき、エレベータの運行を制御する中央制御装置が前記複数の階床に設置された複数の前記ホール制御装置と正常に通信可能か否かを確認する通信確認部をさらに備える
ことを特徴とする請求項１に記載の階床設定システム。
【請求項６】
エレベータの運行を制御する中央制御装置が前記ホール制御装置と通信するための該ホール制御装置の通信アドレスを、前記複数の階床のうち前記階床特定部により該ホール制御装置に対して特定された階床に応じて設定する設定部をさらに備える
ことを特徴とする請求項１乃至請求項５の何れか１項に記載の階床設定システム。
【請求項７】
端末装置を接続する端末接続部と、
前記階床特定部が前記階床の特定を行う階床設定モードにおける状態を記憶する状態記憶部と、
前記状態記憶部に記憶される前記状態に基づく情報を前記端末接続部に接続された前記端末装置に送信する送信部と、
をさらに備える
ことを特徴とする請求項１乃至請求項６の何れか１項に記載の階床設定システム。
【発明の詳細な説明】
【技術分野】
【０００１】
本発明の実施形態は、階床設定システムに関する。
【背景技術】
【０００２】
エレベータの各階床に設置されるホールコントロール基板は、乗り場呼び釦の入力が何階かを判別できるようにするため、エレベータの据付調整時に階床情報の設定を行う必要がある。従来の階床設定方法は、エレベータの制御を行う制御装置の動作モードを階床設定モードに切替え、作業員が各階のホールボタンを階床順に押すことで各階のホールコントロール基板に階床設定を行っていた。
【先行技術文献】
【特許文献】
【０００３】
【特許文献１】特開平７−２３４７３号公報
【特許文献２】特開平４−５５２７４号公報
【発明の概要】
【発明が解決しようとする課題】
【０００４】
しかしながら、従来技術による階床設定方法では、作業員が階床毎に階床設定作業を行うため、作業員の負担が大きかった。
【課題を解決するための手段】
【０００５】
実施形態の階床設定システムは、例えば、複数の階床に１対１に対応し、且つ、それぞれが、対応する階床に設置されるホール制御装置に供給される電源の電圧値を測定する複数の電圧測定部と、複数の電圧測定部により測定された複数の電圧値に基づき複数の階床を特定する階床特定部と、を備える。
【図面の簡単な説明】
【０００６】
【図１】図１は、第１の実施形態に係る階床設定システムを含むエレベータの一例の構成を説明するための模式図である。
【図２】図２は、第１の実施形態に係る階床設定システムの機能を説明するための一例の機能ブロック図である。
【図３】図３は、第１の実施形態に係る、各ホールコントロール基板が設置される階床に伴う電源電圧の電圧降下を説明するための図である。
【図４】図４は、第１の実施形態に係る階床特定部による階床特定処理を説明するための模式図である。
【図５】図５は、第１の実施形態に係る制御装置における階床設定処理を示す一例のフローチャートである。
【図６】図６は、第２の実施形態に係る階床設定システムの機能を説明するための一例の機能ブロック図である。
【図７】図７は、第２の実施形態に係る制御装置における階床設定処理を示す一例のフローチャートである。
【図８】図８は、第３の実施形態に係る階床設定システムの機能を説明するための一例の機能ブロック図である。
【図９】図９は、第３の実施形態に係る電圧降下理論曲線の例を示す図である。
【図１０】図１０は、第３の実施形態に係る制御装置における階床設定処理を示す一例のフローチャートである。
【図１１】図１１は、第４の実施形態に係る階床設定システムの機能を説明するための一例の機能ブロック図である。
【図１２】図１２は、第４の実施形態に係る制御装置における階床設定処理を示す一例のフローチャートである。
【図１３】図１３は、第５の実施形態に係る階床設定システムの機能を説明するための一例の機能ブロック図である。
【図１４】図１４は、第５の実施形態に係る、端末装置の表示部に表示される情報を説明するための図である。
【発明を実施するための形態】
【０００７】
以下に、実施形態に係る階床設定システムを図面に基づいて詳細に説明する。なお、この実施形態における構成要素には、当業者が置換可能、且つ、容易なもの、或いは実質的に同一のものが含まれ、以下の実施形態によりこの発明が限定されるものではない。
【０００８】
＜第１の実施形態＞
図１は、第１の実施形態に係る階床設定システムを含むエレベータの一例の構成を説明するための模式図である。第１の実施形態に係る階床設定システム１は、エレベータ１０の制御を行う中央制御装置としての制御装置２０と、各階床毎の制御を行うホール制御装置としてのホールコントロール基板３０と、を含む。
【０００９】
図１において、エレベータ１０は、建物（ビル、マンション、展望台などの高層建造物）などに設置される昇降路１１を乗りかご１２が昇降し、当該乗りかご１２が停止可能な各階の階床１５に設けられた乗り場（ホール）の間を移動する。図１の例では、最も上部の階床１５が最上階の階床、最も下部の階床１５が最下階の階床となっている。図１に示すエレベータ１０は、乗りかご１２と、カウンターウェイト１３とをロープで連結した、いわゆる「つるべ式のエレベータ」として構成されている。なお、エレベータ１０は、一例として昇降路１１の上部に機械室を備えないタイプであり、ホールコントロール基板３０などは、例えば昇降路１１の側壁などに固定されている。
【００１０】
図１において、制御装置２０がエレベータ１０の昇降路１１の上端側に設置される。ここで、複数の階床１５において、制御装置２０に最も近い位置の階床１５を最上階とし、制御装置２０に最も遠い位置の階床１５を最下階とする。制御装置２０は、各階床１５のホールに１対１に設置される各ホールコントロール基板３０に電源供給線４０を介して電源を供給する。電源供給線４０は、各階床１５毎に分岐して各ホールコントロール基板３０に接続される。また、第１の実施形態では、各ホールコントロール基板３０は、例えば出荷時点において、通信可能で他と重複しない通信アドレスが設定されているものとする。
【００１１】
制御装置２０は、階床自動設定スイッチ２１が接続されると共に、階床特定部２２を含む。また、各階床１５のホールコントロール基板３０は、電圧測定部３１を含む。すなわち、第１の実施形態に係る階床設定システム１は、複数のホールコントロール基板３０に１対１に複数の電圧測定部３１を含んでいる。制御装置２０は、階床自動設定スイッチ２１に対するＯＮ（オン）操作に応じて、階床設定システム１の動作モードを階床設定モードに切り替える。また、制御装置２０は、階床自動設定スイッチ２１に対するＯＦＦ（オフ）操作に応じて、階床設定モードを終了させる。
【００１２】
階床設定モードにおいて、各ホールコントロール基板３０と制御装置２０は、データを伝送信号に変換する通信部（後述する）を介して階床１５の設定を行う。また、表示灯群２３は、階床設定モードの開始、終了および異常といった各状態を示す表示を行う。制御装置２０は、作業員１４が、階床自動設定スイッチ２１の操作と、表示灯群２３による階床設定モードの状態の確認と、を実行可能なように構成されている。
【００１３】
図２は、第１の実施形態に係る階床設定システム１の機能を説明するための一例の機能ブロック図である。図２において、図１と共通する部分には同一の符号を付して、詳細な説明を省略する。また、図２において、複数のホールコントロール基板３０を１つのホールコントロール基板３０で代表させて示している。制御装置２０は、階床特定部２２と、通信部２４とを含む。ホールコントロール基板３０は、電圧測定部３１と、通信部３２とを含む。
【００１４】
制御装置２０に対して、階床自動設定スイッチ２１が接続される。制御装置２０は、階床自動設定スイッチ２１に対するＯＮ操作に応じて、通信部２４によりホールコントロール基板３０内の通信部３２と通信を行い、ホールコントロール基板３０との間で信号の授受を行う。上述したように、各ホールコントロール基板３０の通信部３２は、通信可能で他と重複しない通信アドレスが予め設定されている。また、通信部３２は、一斉同報通信に対応しているものとする。
【００１５】
各ホールコントロール基板３０は、階床自動設定スイッチ２１に対するＯＮ操作に応じた信号を制御装置２０から受信すると、最初に、電圧測定部３１により電源電圧を測定する。電圧測定部３１は、電源供給線４０がホールコントロール基板３０内の回路に接続される前の電圧を測定する。例えば、ホールコントロール基板３０が電源供給線４０から供給された電源の電圧を内部の回路が使用する電圧に変換するＤＣ／ＤＣコンバータを有する場合、ＤＣ／ＤＣコンバータの電源供給側において電圧を測定する。各ホールコントロール基板３０は、電圧測定部３１で測定された電源電圧値を、通信部３２により制御装置２０に送信する。
【００１６】
制御装置２０は、各ホールコントロール基板３０から送信された電源電圧値を通信部２４により受信し、階床特定部２２に渡す。階床特定部２２は、各ホールコントロール基板３０から送信された電源電圧値に基づき、各ホールコントロール基板３０が設置される階床１５を特定し、特定された階床１５を通信部３２の通信アドレスに割り当てて管理する。なお、図２および上述の図１では、階床特定部２２が制御装置２０に含まれるように示されているが、これはこの例に限定されず、階床特定部２２を制御装置２０の外部に設けてもよい。
【００１７】
次に、第１の実施形態に係る階床設定処理について、より詳細に説明する。第１の実施形態に係る階床設定システム１は、階床特定部２２により、各階床１５のホールコントロール基板３０において電圧測定部３１にて測定された電源電圧値の、各階床１５間での電圧降下に基づき、各階床１５を特定する。図３は、第１の実施形態に係る、各ホールコントロール基板３０が設置される階床１５に伴う電源電圧の電圧降下を説明するための図である。
【００１８】
図３（ａ）は、制御装置２０と、各階床１５のホールコントロール基板３０と、の電源供給線４０による接続を模式的に示す。図３（ａ）に示されるように、各ホールコントロール基板３０は、制御装置２０に対し、電源供給線４０により並列に接続される。換言すれば、電源供給線４０は、各階床１５で分岐して、それぞれの階のホールコントロール基板３０に接続される。
【００１９】
このように、制御装置２０に対して各ホールコントロール基板３０が電源供給線４０により並列に接続されているため、各ホールコントロール基板３０に対して、理論的には同一電圧にて電源が供給される。しかしながら、実際には、電源供給線４０は、導体抵抗を有しているため、必ず電圧降下が発生する。図３（ｂ）は、電圧降下を考慮した図３（ａ）の等価回路を示す。
【００２０】
なお、図３（ｂ）において、説明の簡略化のため、マイナスライン側の導体抵抗の表現を省略する。また、図３（ｂ）では、最上階から下階に向けて５階分の接続に関する等価回路を示している。図３（ｂ）において、電源供給線４０の各階床１５間の導体抵抗を抵抗Ｒnとし、各導体抵抗に流れる電流値を電流値ｉnとする（ｎ＝１，２，３，４，５）。また、制御装置２０は、直流（ＤＣ）２４Ｖの電源を、電源供給線４０を介して各ホールコントロール基板３０に供給するものとする。
【００２１】
隣接する階床１５に設置されるホールコントロール基板３０間の距離が、各階床１５で等しい場合、各階床１５間の導体抵抗値も同一となる。すなわち、Ｒ1＝Ｒ2＝Ｒ3＝Ｒ4＝Ｒ5となる。一方、各ホールコントロール基板３０に供給される電流の電流値ｉ1’、ｉ2’、…は、制御装置２０から出力される電流の電流値Ｉが並列接続により分流されたものとなる。
【００２２】
より具体的には、例えば各抵抗Ｒ1〜Ｒ5に流れる電流の各電流値ｉ1〜ｉ5は、下記の式（１）〜式（５）にて求められる。なお、式（１）〜式（５）において、電流値ｉ1’、ｉ2’、…は、各ホールコントロール基板３０に流れる電流の電流値を示す。
【００２３】
ｉ1＝Ｉ    …（１）
ｉ2＝ｉ1−ｉ1’＝Ｉ−ｉ1’    …（２）
ｉ3＝ｉ2−ｉ2’＝Ｉ−ｉ1’−ｉ2’    …（３）
ｉ4＝ｉ3−ｉ3’＝Ｉ−ｉ1’−ｉ2’−ｉ3’    …（４）
ｉ5＝ｉ4−ｉ4’＝Ｉ−ｉ1’−ｉ2’−ｉ3’−ｉ4’    …（５）
【００２４】
なお、上述では、説明のため、階床１５の数が５である例について式（１）〜式（５）を用いて示しているが、階床１５の数が６以上であっても、各導体抵抗に流れる電流値ｉnは、同様にして求められる。
【００２５】
上述の式（１）〜式（５）から、各抵抗Ｒ1、Ｒ2、…、Ｒ5を流れる電流値ｉ1、ｉ2、…、ｉ5は、下記の式（６）の関係が成り立つ。
ｉ1＞ｉ2＞ｉ3＞ｉ4＞ｉ5    …（６）
【００２６】
したがって、各抵抗Ｒ1、Ｒ2、…、Ｒ5における電圧降下は、電圧降下値ｖｄn＝ｉn×Ｒnより、下記の式（７）に示す関係が成り立つ。
ｖｄ1＞ｖｄ2＞ｖｄ3＞ｖｄ4＞ｖｄ5    …（７）
【００２７】
各ホールコントロール基板３０には、制御装置２０から出力される電源の電圧値Ｖ0から、各電圧降下値ｖｄnを減じた電圧値の電源が供給されることになる。すなわち、最上階の階床１５に設置されるホールコントロール基板３０に供給される電源の電圧値を電圧値ｖ1とし、最上階より下階の各階床１５に設置されるホールコントロール基板３０に供給される電源の電圧値を電圧値ｖ2、ｖ3、…とした場合、電圧値ｖ1、ｖ2、…は、ｖ5は、下記の式（８）〜式（１２）によって求められる。
【００２８】
ｖ1＝Ｖ0−ｖｄ1    …（８）
ｖ2＝Ｖ0−ｖｄ1−ｖｄ2    …（９）
ｖ3＝Ｖ0−ｖｄ1−ｖｄ2−ｖｄ3    …（１０）
ｖ4＝Ｖ0−ｖｄ1−ｖｄ2−ｖｄ3−ｖｄ4    …（１１）
ｖ5＝Ｖ0−ｖｄ1−ｖｄ2−ｖｄ3−ｖｄ4−ｖｄ5    …（１２）
【００２９】
図３（ｃ）は、上述の式（８）〜式（１２）で求めた、各ホールコントロール基板３０に供給される電源の電圧値ｖ1〜ｖ5を各階床１５についてプロットした一例のグラフである。図３（ｃ）において、横軸は階床１５の階数を示し、縦軸は、各階床１５のホールコントロール基板３０に供給される電源電圧の理論値を示す。図３（ｃ）は、最上階の階床１５が５階、最下階の階床１５が１階であるものとして示している。昇降路１１の上端側に設置される制御装置２０から出力される電源の電源電圧値２４［Ｖ］に対して、階床１５の階が下がる毎に、その階床１５のホールコントロール基板３０に供給される電源の電圧値が下がっていくことが分かる。
【００３０】
すなわち、図３（ｂ）を用いて説明したように、各ホールコントロール基板３０に接続される電源供給線４０が持つ導体抵抗により、各階床１５において微小でも電圧降下が発生し、各ホールコントロール基板３０に供給される電源は、階床１５毎に電圧値が異なる。そのため、各ホールコントロール基板３０において供給される電源の電圧値ｖnを測定することで、各ホールコントロール基板３０が設置された階床１５を特定することができる。
【００３１】
一例として、ホールコントロール基板３０の消費電流値を１２０［ｍＡ］、電源供給線４０が持つ電気抵抗値を２５［Ω／Ｋｍ］、階高を４［ｍ］とすると、１階床あたりの電圧降下の最小の電圧値である最小電圧降下値ｖｄminは、下記の式（１３）により計算できる。
ｖｄmin＝１２０×１０−３［Ａ］×４［ｍ］×２×２５×１０−３［Ω／ｍ］＝２４［ｍＶ］    …（１３）
【００３２】
各ホールコントロール基板３０の各電圧測定部３１は、当該電圧測定部３１を含むホールコントロール基板３０に供給される電源の電圧値ｖnを測定する。電圧測定部３１は、測定した電源の電圧値ｖnを、通信部３２により制御装置２０に送信する。
【００３３】
制御装置２０は、各階床１５のホールコントロール基板３０からそれぞれ送信された電圧値ｖnを、各ホールコントロール基板３０の通信部３２に予め設定される通信アドレスと関連付けて、例えば制御装置２０が有するメモリに記憶する。制御装置２０において、階床特定部２２は、各ホールコントロール基板３０について記憶された電圧値ｖnおよび通信アドレスの組に基づき、各ホールコントロール基板３０が設置される階床１５を特定する。
【００３４】
図４は、第１の実施形態に係る階床特定部２２による階床特定処理を説明するための模式図である。図４（ａ）において、通信部３２の通信アドレスがそれぞれアドレスＡ、Ｂ、Ｃ、ＤおよびＥのホールコントロール基板３０を、それぞれホールコントロール基板３０Ａ、３０Ｂ、３０Ｃ、３０Ｄおよび３０Ｅとして示している。また、図４（ａ）において、各ホールコントロール基板３０Ａ、３０Ｂ、３０Ｃ、３０Ｄおよび３０Ｅが１階〜５階のうち何れの階床１５に設置されているかは、未特定であるものとする。
【００３５】
図４（ａ）に示すように、ホールコントロール基板３０Ａから、電圧測定部３１で測定された電圧値ｖ1が制御装置２０に送信される。同様に、各ホールコントロール基板３０Ｂ、３０Ｃ、３０Ｄおよび３０Ｅから、それぞれの電圧測定部３１で測定された電圧値ｖ2、ｖ3、ｖ4およびｖ5が制御装置２０に送信される。図４（ａ）の例では、電圧値ｖ1＝２２．３［Ｖ］、電圧値ｖ2＝２２．１［Ｖ］、電圧値ｖ3＝２３．０［Ｖ］、電圧値ｖ4＝２２．６［∨］、電圧値ｖ5＝２２．０［Ｖ］となっている。
【００３６】
制御装置２０において、階床特定部２２は、各ホールコントロール基板３０Ａ、３０Ｂ、３０Ｃ、３０Ｄおよび３０Ｅから送信された各電圧値ｖ1、ｖ2、ｖ3、ｖ4およびｖ5を、各ホールコントロール基板３０Ａ、３０Ｂ、３０Ｃ、３０Ｄおよび３０Ｅの通信アドレスと関連付けて記憶する。次に、階床特定部２２は、記憶した各通信アドレスを、各電圧値ｖ1、ｖ2、ｖ3、ｖ4およびｖ5に基づき並び替える。
【００３７】
図４（ｂ）は、階床特定部２２により記憶される、並び替え前の各ホールコントロール基板３０Ａ、３０Ｂ、３０Ｃ、３０Ｄおよび３０Ｅと、各ホールコントロール基板３０Ａ、３０Ｂ、３０Ｃ、３０Ｄおよび３０Ｅに関連付けられた電圧値ｖ1、ｖ2、ｖ3、ｖ4およびｖ5と、の例を示す。なお、図４（ｂ）および後述する図４（ｃ）において、ホールコントロール基板３０Ａ、３０Ｂ、３０Ｃ、３０Ｄおよび３０Ｅは、それぞれ、各ホールコントロール基板３０Ａ、３０Ｂ、３０Ｃ、３０Ｄおよび３０Ｅを示す情報として基板Ａ、基板Ｂ、基板Ｃ、基板Ｄおよび基板Ｅを用いて示されている。また、アドレスＡ、Ｂ、Ｃ、ＤおよびＥは、それぞれ、各ホールコントロール基板３０Ａ、３０Ｂ、３０Ｃ、３０Ｄおよび３０Ｅの通信部３２の通信アドレスを示す。
【００３８】
図４（ｂ）において、各基板Ａ〜ＥおよびアドレスＡ〜Ｅに対して、これら各基板Ａ〜Ｅから送信された各電圧値ｖ1〜ｖ5と、階床情報ｘ1、ｘ2、ｘ3、ｘ4およびｘ5と、が関連付けられている。図４（ｂ）では、各基板Ａ〜Ｅが設置される階床１５が未特定であって、各基板Ａ〜Ｅに関連付けられる階床情報ｘ1〜ｘ5は、仮の値が用いられる。
【００３９】
図４（ｃ）は、階床特定部２２により、各基板Ａ〜ＥおよびアドレスＡ〜Ｅが各電圧値ｖ1〜ｖ5に基づき並び替えられた例を示す。図４（ｃ）の例では、図中に矢印で示されるように、各基板Ａ〜ＥおよびアドレスＡ〜Ｅが、各電圧値ｖ1〜ｖ5に応じて降順に並び替えられ、基板Ｃ（アドレスＣ）、基板Ｄ（アドレスＤ）、基板Ａ（アドレスＡ）、基板Ｂ（アドレスＢ）、基板Ｅ（アドレスＥ）の順となっている。
【００４０】
階床特定部２２は、このように並び替えられた各基板Ａ〜ＥおよびアドレスＡ〜Ｅに対して、降順に階床情報５Ｆ（５階）、４Ｆ（４階）、３Ｆ（３階）、２Ｆ（２階）および１Ｆ（１階）を関連付ける。これにより、各ホールコントロール基板３０Ａ〜３０Ｅが設置される階床１５が特定され、各ホールコントロール基板３０Ａ〜３０Ｅの各通信部３２の通信アドレスに対して、階床１５がそれぞれ割り当てられる。
【００４１】
図４（ｃ）の例では、基板ＣのアドレスＣに対して５階の階床１５が、基板ＤのアドレスＤに対して４階の階床１５が、それぞれ割り当てられている。また、基板ＡのアドレスＡに対して３階の階床１５が、基板ＢのアドレスＢに対して２階の階床が、基板ＥのアドレスＥに対して１階の階床１５が、それぞれ割り当てられている。制御装置２０は、通信部２４によりこれらアドレスＡ〜Ｅを用いて各ホールコントロール基板３０と通信を行う。これにより、制御装置２０は、所望の階の階床１５に設置されたホールコントロール基板３０を指定して通信を行うことができる。
【００４２】
図５は、第１の実施形態に係る制御装置２０における階床設定処理を示す一例のフローチャートである。なお、図５および以降の同様の図において、ホールコントロール基板３０を、「基板」として示している。
【００４３】
ステップＳ１００で、制御装置２０は、階床自動設定スイッチ２１がＯＮ操作されたか否かを判定する。制御装置２０は、ＯＮ操作されていないと判定した場合（ステップＳ１００、「Ｎｏ」）、図５のフローチャートによる一連の処理が終了される。一方、制御装置２０は、階床自動設定スイッチ２１がＯＮ操作されたと判定した場合（ステップＳ１００、「Ｙｅｓ」）、処理をステップＳ１０１に移行させる。
【００４４】
ステップＳ１０１で、制御装置２０は、制御装置２０自身の動作モードを、階床設定を自動で実行する階床設定モードに切り換えると共に、通信部２４により、各ホールコントロール基板３０に対して一斉同報通信を行い、各ホールコントロール基板３０の動作モードを階床設定モードに切り換える。また、制御装置２０は、制御装置２０内に設置された表示灯群２３に含まれるアドレス設定表示灯を点灯させる。
【００４５】
各ホールコントロール基板３０は、動作モードが階床設定モードに切り替わると、電圧測定部３１により電源の電圧値ｖnを測定する。また、制御装置２０は、動作モードが階床設定モードに切り替わると、階床特定部２２により、通信部２４を介して各ホールコントロール基板３０に対して電圧測定部３１により測定した電源の電圧値ｖnを要求する。各ホールコントロール基板３０は、制御装置２０からの要求に応じて、測定した電圧値ｖnを通信部３２を介して制御装置２０に送信する。
【００４６】
制御装置２０は、各ホールコントロール基板３０から送信された電圧値ｖnと、電圧値ｖnを送信したホールコントロール基板３０の通信アドレスと、を通信部２４を介して取得する。制御装置２０において、階床特定部２２は、取得した各電圧値ｖnと、各ホールコントロール基板３０の通信アドレスと、を関連付けて記憶する。
【００４７】
次のステップＳ１０２で、制御装置２０は、階床特定部２２により、各ホールコントロール基板３０から電圧値ｖnを取得したか否かを判定する。階床特定部２２は、各ホールコントロール基板３０から電圧値ｖnを取得できないと判定した場合（ステップＳ１０２、「Ｎｏ」）、処理をステップＳ１１０に移行させる。例えば、階床特定部２２は、制御装置２０に接続される全てのホールコントロール基板３０のうち少なくとも１のホールコントロール基板３０から電圧値ｖnが取得できない場合に、各ホールコントロール基板３０から電圧値ｖnを取得できないと判定する。
【００４８】
ステップＳ１１０で、階床特定部２２は、異常を発報して処理をステップＳ１０５に移行させる。階床特定部２２は、例えば、表示灯群２３に含まれる異常表示灯を点灯させて、異常の発報を行う。
【００４９】
一方、階床特定部２２は、ステップＳ１０２で各ホールコントロール基板３０から電圧値ｖnを取得できたと判定した場合、処理をステップＳ１０３に移行させる。ステップＳ１０３で、階床特定部２２は、図４（ｂ）および図４（ｃ）を用いて説明したように、各ホールコントロール基板３０および各通信アドレスを示す情報を電圧値ｖnに基づき並び替えて、各ホールコントロール基板３０が設置されている階床１５をそれぞれ特定する。
【００５０】
次のステップＳ１０４で、階床特定部２２は、各ホールコントロール基板３０に予め設定されている通信アドレスに、特定した階床１５を示す情報を割り当てる。このように、階床特定部２２は、各ホールコントロール基板３０の通信アドレスを階床１５に応じて設定する設定部としての機能も有する。また、階床設定モードは、換言すれば、制御装置２０において階床特定部２２が階床の特定を行う動作モードであるといえる。階床特定部２２は、各ホールコントロール基板３０の通信アドレスに対する階床１５を示す情報の割り当てが完了すると、階床設定処理が完了したとして、例えば表示灯群２３に含まれる設定完了表示灯を点灯させる。
【００５１】
ステップＳ１０４で階床設定処理が完了するか、あるいは、上述したステップＳ１１０で異常が発報されると、処理がステップＳ１０５に移行される。ステップＳ１０５で、制御装置２０は、ステップＳ１０４またはステップＳ１１０の処理から一定時間以内に階床自動設定スイッチ２１に対してＯＦＦ操作されたか否かを判定する。制御装置２０は、一定時間以内にＯＦＦ操作されたと判定した場合（ステップＳ１０５、「Ｙｅｓ」）、処理をステップＳ１０６に移行する。ステップＳ１０６で、制御装置２０は、階床設定モードを終了させ、例えば表示灯群２３を消灯させる。階床設定モードが終了されると、図５のフローチャートによる一連の処理が終了される。
【００５２】
一方、制御装置２０は、ステップＳ１０５で階床自動設定スイッチ２１に対して一定時間以内にＯＦＦ操作されていないと判定した場合（ステップＳ１０５、「Ｎｏ」）、処理をステップＳ１２０に移行させる。ステップＳ１２０で、制御装置２０は、報知器などにより階床設定モードが終了した旨を報知する。制御装置２０は、ステップＳ１２０の処理の後、処理をステップＳ１０５に戻す。
【００５３】
第１の実施形態に係る階床設定システム１によれば、各階床１５に設置された各ホールコントロール基板３０において、供給される電源の電圧値ｖnを測定し、測定された各電圧値ｖnに基づき各ホールコントロール基板３０が設置される階床１５を特定している。これにより、制御装置２０は、各ホールコントロール基板３０の通信部３２の通信アドレスに対応する階を判別可能となる。
【００５４】
したがって、第１の実施形態に係る階床設定システム１は、作業員１４は、制御装置２０に設けられる階床自動設定スイッチ２１を操作するだけで、各階床に赴くこと無く、各ホールコントロール基板３０に対する階床設定を完了させることができ、階床設定における作業員の負担を軽減することが可能である。
【００５５】
＜第２の実施形態＞
次に、第２の実施形態について説明する。図６は、第２の実施形態に係る階床設定システム１ａの機能を説明するための一例の機能ブロック図である。なお、図６において、上述した図２と共通する部分には同一の符号を付して、詳細な説明を省略する。第２の実施形態に係る階床設定システム１ａは、各ホールコントロール基板３０ａの初期状態（例えば出荷時点）における通信アドレスを、各ホールコントロール基板３０ａで共通とすることを可能としている。
【００５６】
図６に示すように、第２の実施形態に係るホールコントロール基板３０ａは、図２に示した第１の実施形態に係るホールコントロール基板３０に対して基板制御部３３が追加されている。基板制御部３３は、アドレス設定部３３０とアドレス記憶部３３１とを含む。アドレス設定部３３０は、アドレス記憶部３３１に記憶される通信アドレスを、ホールコントロール基板３０ａのアドレスとして通信部３２ａに設定する。通信アドレスは、例えば１６進数の数値により表されるものとする。アドレス記憶部３３１は、出荷時点など初期状態において、各ホールコントロール基板３０ａに共通の通信アドレスが初期アドレスとして記憶されている。
【００５７】
ホールコントロール基板３０ａは、階床設定システム１ａの動作モードが自動階床設定モードに切り替わると、電圧測定部３１により供給される電源の電圧値ｖnを測定する。電圧測定部３１は、測定した電圧値ｖnを基板制御部３３に渡す。基板制御部３３において、アドレス設定部３３０は、電圧測定部３１から渡された電圧値ｖnを、例えば１６進数の値に変換し、変換した値と、アドレス記憶部３３１に記憶される初期アドレスとを足し合わせて新たな通信アドレスを生成する。アドレス設定部３３０は、生成した新たな通信アドレスによりアドレス記憶部３３１に記憶される初期アドレスを書き換える。
【００５８】
図３（ａ）〜図３（ｃ）を用いて説明したように、各ホールコントロール基板３０ａ供給される電源の電圧値は、各ホールコントロール基板３０ａが設置される階床１５によって異なる。そのため、各ホールコントロール基板３０ａにおいて電圧測定部３１により測定された電源の電圧値を、各ホールコントロール基板３０ａに共通の初期アドレスに足し合わせることで、各ホールコントロール基板３０ａに固有の通信アドレスを生成することができる。各ホールコントロール基板３０ａにおいて、こうして生成された通信アドレスを通信部３２に設定することで、階床自動設定が可能となる。
【００５９】
図７は、第２の実施形態に係る制御装置２０における階床設定処理を示す一例のフローチャートである。なお、図７において、上述した図５のフローチャートと共通する処理には同一の符号を付して、詳細な説明を省略する。
【００６０】
ステップＳ１００およびステップＳ１０１の処理は、図５のフローチャートにおけるステップＳ１００およびステップＳ１０１の処理と同様である。すなわち、制御装置２０は、ステップＳ１００で階床自動設定スイッチ２１がＯＮ操作されたと判定した場合（ステップＳ１００、「Ｙｅｓ」）、処理をステップＳ１０１に移行させる。ステップＳ１０１で、制御装置２０は、制御装置２０自身の動作モードを階床設定モードに切り換えると共に、通信部２４により、各ホールコントロール基板３０に対して一斉同報通信を行い、各ホールコントロール基板３０の動作モードを階床設定モードに切り換える。各ホールコントロール基板３０ａは、動作モードが階床設定モードに切り替えられると、電圧測定部３１により電源の電圧値ｖnを測定する。
【００６１】
各ホールコントロール基板３０ａにおいて、アドレス設定部３３０は、電圧測定部３１により測定された電圧値ｖnを１６進数の値に変換し、変換した値と、アドレス記憶部３３１に初期アドレスとして記憶される通信アドレスと、を足し合わせて、各ホールコントロール基板３０ａに固有の通信アドレスを生成する。アドレス設定部３３０は、生成した通信アドレスにより、アドレス記憶部３３１に記憶される通信アドレスを書き換える。これにより、通信部３２ａに対して、各ホールコントロール基板３０ａに固有の通信アドレスが設定される。
【００６２】
アドレス設定部３３０は、アドレス記憶部３３１に記憶される通信アドレスの書き換えが完了すると、その旨示すアドレス書き換え完了通知と、電圧測定部３１により測定された電圧値ｖnと、を通信部３２ａにより制御装置２０に送信する。
【００６３】
次のステップＳ２００で、制御装置２０は、各ホールコントロール基板３０ａの通信部３２ａにより、各ホールコントロール基板３０ａに固有の通信アドレスから送信されたアドレス書き換え完了通知および電圧値ｖnを、通信部２４により受信する。制御装置２０において、階床特定部２２は、各ホールコントロール基板３０ａに固有の通信アドレスを取得し、取得した通信アドレスと、受信した各電圧値ｖnと、を関連付けて記憶する。
【００６４】
次のステップＳ２０１で、制御装置２０は、階床特定部２２により、各ホールコントロール基板３０ａから受信したアドレス書き換え完了通知に基づき、各ホールコントロール基板３０ａにおいて通信アドレスの書き換えが完了したか否かを判定する。階床特定部２２は、各ホールコントロール基板３０ａにおいてアドレスの書き換えが完了していないと判定した場合（ステップＳ２０１、「Ｎｏ」）、処理をステップＳ１１０に移行して異常を発報し、処理をステップＳ１０５に移行させる。
【００６５】
例えば、階床特定部２２は、制御装置２０に接続される全てのホールコントロール基板３０ａのうち少なくとも１のホールコントロール基板３０ａから通信アドレス書き換え完了通知を受信できなかった場合に、各ホールコントロール基板３０ａにおいてアドレスの書き換えが完了していないと判定する。
【００６６】
一方、制御装置２０は、ステップＳ２０１で各ホールコントロール基板３０ａにおいて通信アドレスの書き換えが完了したと判定した場合（ステップＳ２０１、「Ｙｅｓ」）、処理をステップＳ１０２に移行させる。ステップＳ１０２以降の処理は、図５のフローチャートにおけるステップＳ１０２以降の処理と同様であるので、ここでの説明を省略する。
【００６７】
第２の実施形態に係る階床設定システム１ａでは、各ホールコントロール基板３０ａの通信アドレスを、初期アドレスと、各ホールコントロール基板３０ａにおいて測定された電源の電圧値ｖnと、を用いて生成している。そのため、各ホールコントロール基板３０ａの初期アドレスを共通化することができ、各ホールコントロール基板３０ａのコストを抑制することが可能である。
【００６８】
また、第２の実施形態に係る階床設定システム１ａでも、上述した第１の実施形態に係る階床設定システム１と同様に、各階床１５に設置された各ホールコントロール基板３０ａにおいてそれぞれ測定した電源の電圧値ｖnに基づき、各ホールコントロール基板３０ａが設置される階床１５を特定している。これにより、制御装置２０は、各ホールコントロール基板３０ａの通信アドレスに対応する階を判別可能となる。
【００６９】
したがって、第２の実施形態に係る階床設定システム１ａにおいても、上述した第１の実施形態に係る階床設定システム１と同様に、作業員１４は、階床自動設定スイッチ２１を操作するだけで、各階床に赴くこと無く、各ホールコントロール基板３０に対する階床設定を完了させることができ、階床設定における作業員の負担を軽減することが可能となる。
【００７０】
＜第３の実施形態＞
次に、第３の実施形態について説明する。図８は、第３の実施形態に係る階床設定システム１ｂの機能を説明するための一例の機能ブロック図である。なお、図８において、上述した図２と共通する部分には同一の符号を付して、詳細な説明を省略する。第３の実施形態に係る階床設定システム１ｂは、各ホールコントロール基板３０が有する電圧測定部３１が正常に動作しているか否かを確認するようにしている。
【００７１】
図８に示すように、第３の実施形態に係る制御装置２０ｂは、図２に示した第１の実施形態に係る制御装置２０に対して電圧値確認部２５が追加されている。電圧値確認部２５は、通信部２４ｂを介してホールコントロール基板３０と通信を行うことができる。
【００７２】
電圧値確認部２５は、各階床１５に設置されたホールコントロール基板３０の数と、隣接する階床１５に設置されるホールコントロール基板３０間の距離と、電源供給線４０の導体抵抗と、に基づき電源供給線４０の導体抵抗による階床１５毎の電圧降下を計算し、計算した電圧降下の階床１５による変化を示す曲線を求める。この曲線を、電圧降下理論曲線と呼ぶ。電圧値確認部２５は、各ホールコントロール基板３０において電圧測定部３１により測定され制御装置２０ｂに送信された電圧値ｖnと、電圧降下理論曲線と、を比較して、各ホールコントロール基板３０の電圧測定部３１の故障を検知する。
【００７３】
図９は、第３の実施形態に係る電圧降下理論曲線の例を示す図である。図９を用いて、電圧値確認部２５による処理について説明する。図９において、横軸は階床１５の階数を示し、縦軸は、各階床１５のホールコントロール基板３０に供給される電源電圧の理論値を示す。また、図９は、説明のため、最上階の階床１５が３階、最下階の階床１５が１階であるものとして示している。電圧値確認部２５は、各ホールコントロール基板３０において電圧測定部３１により測定された電圧値ｖnが適切な値であるか否かを、電圧降下理論曲線２００に基づき確認する。
【００７４】
各ホールコントロール基板３０に供給される電源の電圧値に対する電圧降下値は、図３（ａ）〜図３（ｃ）を用いて説明したように、接続される電源供給線４０の導体抵抗Ｒnと、電源供給線４０を流れる電流の電流値ｉnと、ホールコントロール基板３０の数と、により決定される。そのため、各ホールコントロール基板３０に供給される電源の電圧値ｖnに対する電圧降下値は、理論的に算出することが可能である。
【００７５】
電圧値確認部２５は、算出した電圧降下値に基づく電圧降下理論曲線２００に対して閾値２０１ａおよび２０１ｂを設ける。閾値２０１ａおよび２０１ｂは、１階床当たりの最小の電圧降下値である最小電圧降下値ｖｄminにより決定する。最小電圧降下値ｖｄminは、例えば最下階の階床１５と、当該最下階の１階上の階床１５との間の電圧降下値である。図９の例では、１階と２階との間における電圧降下値が、最小電圧降下値ｖｄminとなる。
【００７６】
一例として、ホールコントロール基板３０の消費電流値を１２０［ｍＡ］、電源供給線４０が持つ電気抵抗値を２５［Ω／Ｋｍ］、階高を４［ｍ］とすると、上述した式（１３）を参照し、１階床当たり最小電圧降下値ｖｄminは、２４［ｍＶ］と算出される。そのため、電圧降下理論曲線２００に対して、±１２［ｍＶ］の閾値２０１ａおよび２０１ｂを設定する。
【００７７】
電圧値確認部２５は、各ホールコントロール基板３０から送信された各電圧値ｖnが、設定した閾値２０１ａおよび２０１ｂによる範囲の範囲外であるか否かを判定する。電圧値確認部２５は、各電圧値ｖnが閾値２０１ａおよび２０１ｂによる範囲外の電圧値を含む場合、各ホールコントロール基板３０のうち何れかのホールコントロール基板３０の電圧測定部３１が異常（故障）であると判定する。一方、電圧値確認部２５は、各電圧値ｖnが電圧降下理論曲線２００から大きく外れた電圧値を含まない、すなわち、各電圧値ｖnが何れも閾値２０１ａおよび２０１ｂの範囲内にある場合、各電圧測定部３１が正常に動作していると判定する。
【００７８】
図１０は、第３の実施形態に係る制御装置２０ｂにおける階床設定処理を示す一例のフローチャートである。なお、図１０において、上述した図５のフローチャートと共通する処理には同一の符号を付して、詳細な説明を省略する。
【００７９】
図１０のフローチャートによる処理の開始に先んじて、制御装置２０ｂにおいて、電圧値確認部２５は、電圧降下理論曲線２００と、電圧降下理論曲線２００に対する閾値２０１ａおよび２０１ｂとを求めておく。これら電圧降下理論曲線２００と、閾値２０１ａおよび２０１ｂとを求めるために用いる、設置される各ホールコントロール基板３０の数、電源供給線４０の導体抵抗値、および、階高は、例えば、作業員１４により予め制御装置２０ｂに対して設定されるものとする。
【００８０】
図１０のフローチャートにおいて、ステップＳ１００〜ステップＳ１０３の処理は、上述した図５のフローチャートにおけるステップＳ１００〜ステップＳ１０３の処理と同様であるので、ここでの説明を省略する。
【００８１】
制御装置２０ｂは、ステップＳ１０３で階床特定部２２により各ホールコントロール基板３０が設置されている階床１５が特定されると、処理をステップＳ３００に移行させる。ステップＳ３００で、制御装置２０ｂは、電圧値確認部２５により、各ホールコントロール基板３０から取得した各電圧値ｖnと、予め求めた電圧降下理論曲線２００と、を比較する。より具体的には、電圧値確認部２５は、階床１５に関連付けられた電圧値ｖnと、電圧降下理論曲線２００の当該階床１５における値と、を比較する。
【００８２】
次のステップＳ３０１で、電圧値確認部２５は、ステップＳ３００の比較の結果に基づき、各電圧値ｖnに異常な電圧値が含まれるか否かを判定する。すなわち、電圧値確認部２５は、各電圧値ｖnと、対応する階床１５における閾値２０１ａおよび２０１ｂとを比較し、各電圧値ｖnのうち閾値２０１ａおよび２０１ｂによる範囲の範囲外の電圧値ｖを、異常な電圧値であると判定する。
【００８３】
図９の例では、電圧値ｖ1およびｖ3は、対応する１階および３階の階床１５において、閾値２０１ａおよび２０１ｂによる範囲の範囲内の値である。そのため、電圧値確認部２５は、これら電圧値ｖ1およびｖ3を、異常では無い、すなわち正常な電圧値であると判定する。一方、電圧値ｖ2は、閾値２０１ａおよび２０１ｂによる範囲の範囲外の値である。そのため、電圧値確認部２５は、この電圧値ｖ2を異常な電圧値であると判定する。
【００８４】
制御装置２０ｂは、電圧値確認部２５により、各電圧値ｖnが異常な電圧値を含むと判定した場合（ステップＳ３０１、「Ｙｅｓ」）、処理をステップＳ１１０に移行させ、異常を発報する。一方、制御装置２０ｂは、電圧値確認部２５により、各電圧値ｖnが異常な電圧値を含まないと判定した場合（ステップＳ３０１、「Ｎｏ」）、処理をステップＳ１０４に移行させる。
【００８５】
ステップＳ１０４以降の処理は、図５のフローチャートにおけるステップＳ１０４以降の処理と同様であるので、ここでの説明を省略する。
【００８６】
なお、ステップＳ３０１では、各電圧値ｖnに異常な電圧値が含まれるか否かを判定し、異常な電圧値ｖnが測定されたホールコントロール基板３０の特定は、行わない。これは、ステップＳ１０３において電圧値ｖnに基づき並べ替えを行うので、異常な電圧値が存在することにより特定される階床１５が入れ替わってしまう可能性があり、これにより誤判定されてしまうおそれがあるためである。
【００８７】
この点について、図９を参照して説明する。一例として、２階に設置されるホールコントロール基板３０において、３階に設置されるホールコントロール基板で測定された電圧値ｖ3より高い電圧値ｖ2’が測定された場合について考える。
【００８８】
この場合、ステップＳ１０３の並べ替えにより、２階と特定されるべきホールコントロール基板３０の階床１５が電圧値ｖ2’に基づき３階と特定され、３階と特定されるべきホールコントロール基板３０の階床１５が電圧値ｖ3に基づき２階と特定されることになる。電圧値ｖ3は、最小電圧降下値ｖｄminに基づく閾値２０１ａおよび２０１ｂの範囲外の値となるため、異常な電圧値であると判定される。したがって、電圧値ｖ3が測定された、２階に設置されるホールコントロール基板３０の電圧測定部３１が異常であると誤判定されてしまうことになる。
【００８９】
第３の実施形態に係る階床設定システム１ｂでも、上述した第１の実施形態に係る階床設定システム１と同様に、各階床１５に設置された各ホールコントロール基板３０においてそれぞれ測定した電源の電圧値ｖnに基づき、各ホールコントロール基板３０が設置される階床１５を特定している。これにより、制御装置２０は、各ホールコントロール基板３０の通信アドレスに対応する階を判別可能となる。
【００９０】
したがって、第３の実施形態に係る階床設定システム１ｂにおいても、上述した第１の実施形態に係る階床設定システム１と同様に、作業員１４は、制御装置２０ｂに設けられる階床自動設定スイッチ２１を操作するだけで、各階床に赴くこと無く、各ホールコントロール基板３０に対する階床設定を完了させることができ、階床設定における作業員の負担を軽減することが可能である。
【００９１】
このとき、第３の実施形態に係る階床設定システム１ｂでは、各ホールコントロール基板３０で測定された電源の電圧値ｖnを、予め求めた電圧降下理論曲線２００と比較することで、各ホールコントロール基板３０が備える電圧測定部３１の異常の有無を判定している。そのため、故障している電圧測定部３１の有無を判定できると共に、電圧測定部３１の動作異常に伴い階床１５を誤って特定してしまう事態を抑制することが可能である。
【００９２】
＜第４の実施形態＞
次に、第４の実施形態について説明する。図１１は、第４の実施形態に係る階床設定システム１ｃの機能を説明するための一例の機能ブロック図である。なお、図１１において、上述した図２と共通する部分には同一の符号を付して、詳細な説明を省略する。第４の実施形態に係る階床設定システム１ｃは、各ホールコントロール基板３０が有する通信部３２と、制御装置２０ｃが有する通信部２４と、の間の通信の正常性を確認可能としている。
【００９３】
図１１に示すように、第４の実施形態に係る制御装置２０ｃは、図２に示した第１の実施形態に係る制御装置２０に対して通信確認部２６が追加されている。通信確認部２６は、各ホールコントロール基板３０から送信された電圧値ｖnの数を計数する。通信確認部２６は、計数された電圧値ｖnの数と、ホールコントロール基板３０が設置される階床１５の数とを比較して、各通信部３２と、通信部２４との間の通信の正常性を確認する。
【００９４】
図１２は、第４の実施形態に係る制御装置２０ｃにおける階床設定処理を示す一例のフローチャートである。なお、図１２において、上述した図５のフローチャートと共通する処理には同一の符号を付して、詳細な説明を省略する。
【００９５】
図１２のフローチャートによる処理の開始に先んじて、制御装置２０ｃにおいて、通信確認部２６は、物件の階床数、すなわち、ホールコントロール基板３０が設置される階床１５の数を取得する。階床１５の数は、例えば、作業員１４により予め制御装置２０ｃに対して設定されるものとする。
【００９６】
ステップＳ１００およびステップＳ１０１の処理は、図５のフローチャートにおけるステップＳ１００およびステップＳ１０１の処理と同様である。すなわち、制御装置２０ｃは、ステップＳ１００で階床自動設定スイッチ２１がＯＮ操作されたと判定した場合（ステップＳ１００、「Ｙｅｓ」）、処理をステップＳ１０１に移行させる。ステップＳ１０１で、制御装置２０ｃは、制御装置２０自身の動作モードを階床設定モードに切り換えると共に、通信部２４により、各ホールコントロール基板３０に対して一斉同報通信を行い、各ホールコントロール基板３０の動作モードを階床設定モードに切り換える。各ホールコントロール基板３０ａは、動作モードが階床設定モードに切り替えられると、電圧測定部３１により電源の電圧値ｖnを測定する。
【００９７】
各ホールコントロール基板３０は、動作モードが階床設定モードに切り替わると、電圧測定部３１により電源の電圧値ｖnを測定する。また、制御装置２０ｃは、動作モードが階床設定モードに切り替わると、階床特定部２２により、通信部２４を介して各ホールコントロール基板３０に対して電圧測定部３１により測定した電源の電圧値ｖnを要求する。各ホールコントロール基板３０は、制御装置２０ｃからの要求に応じて、測定した電圧値ｖnを通信部３２を介して制御装置２０ｃに送信する。制御装置２０ｃは、各ホールコントロール基板３０から送信された電圧値ｖnを、通信部２４により受信する。
【００９８】
次のステップＳ４００で、制御装置２０ｃにおいて、通信確認部２６は、各ホールコントロール基板３０から送信され通信部２４により受信された各電圧値ｖnを取得する。次のステップＳ４０１で、通信確認部２６は、ステップＳ４００で取得した電圧値ｖnの数を計数し、計数した数と、物件の階床数とが一致するか否かを判定する。
【００９９】
通信確認部２６は、計数した電圧値ｖnの数と、物件の階床数とが一致しないと判定した場合（ステップＳ４０１、「Ｎｏ」）、処理をステップＳ１１０に移行させ、異常を発報する。この場合、各ホールコントロール基板３０のうち少なくとも１のホールコントロール基板３０が制御装置２０と正常に通信可能ではないと判断できる。ステップＳ１１０の処理の後、処理がステップＳ１０５に移行される。
【０１００】
一方、通信確認部２６は、計数した電圧値ｖnの数と、物件の階床数とが一致すると判定した場合（ステップＳ４０１、「Ｙｅｓ」）、処理をステップＳ１０２に移行させる。この場合は、各ホールコントロール基板３０の全てが制御装置２０と正常に通信可能であると判断できる。
【０１０１】
ステップＳ１０２以降の処理は、図５のフローチャートにおけるステップＳ１０２以降の処理と同様であるので、ここでの説明を省略する。
【０１０２】
第４の実施形態に係る階床設定システム１ｃでも、上述した第１の実施形態に係る階床設定システム１と同様に、各階床１５に設置された各ホールコントロール基板３０においてそれぞれ測定した電源の電圧値ｖnに基づき、各ホールコントロール基板３０が設置される階床１５を特定している。これにより、制御装置２０ｃは、各ホールコントロール基板３０の通信アドレスに対応する階を判別可能となる。
【０１０３】
したがって、第４の実施形態に係る階床設定システム１ｃにおいても、上述した第１の実施形態に係る階床設定システム１と同様に、作業員１４は、制御装置２０ｃに設けられる階床自動設定スイッチ２１を操作するだけで、各階床に赴くこと無く、各ホールコントロール基板３０に対する階床設定を完了させることができ、階床設定における作業員の負担を軽減することが可能である。
【０１０４】
このとき、第４の実施形態に係る階床設定システム１ｃでは、制御装置２０ｃの通信確認部２６により、各ホールコントロール基板３０との間の通信の正常性を確認している。そのため、例えば一部のホールコントロール基板３０との間の通信の不調により、物件の実際の階床数よりも少ない階床数で各階床１５が特定されてしまう事態を抑制することが可能である。
【０１０５】
＜第５の実施形態＞
次に、第５の実施形態について説明する。図１３は、第５の実施形態に係る階床設定システム１ｄの機能を説明するための一例の機能ブロック図である。なお、図１３において、上述した図２、図６、図８および図１１と共通する部分には同一の符号を付して、詳細な説明を省略する。第５の実施形態に係る階床設定システム１ｄは、上述した第１乃至第４の実施形態に係る階床設定システム１、１ａ、１ｂおよび１ｃの機能を含み、端末接続部２８に接続される端末装置に対して、階床設定モードにおける各状態を提示可能としている。
【０１０６】
図１３において、第５の実施形態に係る制御装置２０ｄは、階床特定部２２と、通信部２４ｄと、電圧値確認部２５と、通信確認部２６と、状態記憶部２７と、を含む。状態記憶部２７は、階床特定部２２、電圧値確認部２５および通信確認部２６から通信部２４ｄを介して取得した、階床設定モードにおける各状態を示す情報を記憶する。端末接続部２８は、制御装置２０ｄと作業員１４が保持する端末装置との中継を行う中継器の役割を担う。
【０１０７】
端末装置は、例えば携帯容易に構成され、ユーザ操作を受け付ける操作部と、情報を表示する表示部とを含む。また、端末装置は、ＣＰＵ(Central  Processing  Unit)、ＲＯＭ(Read  Only  Memory)、ＲＡＭ(Random  Access  Memory)およびストレージ（フラッシュメモリやハードディスクドライブ）と、表示部に対する表示を制御する表示制御部と、をさらに含み、コンピュータとしての構成を備える。このような端末装置としては、スマートフォンやタブレット型パーソナルコンピュータ、ノート型パーソナルコンピュータなどを適用することができる。これに限らず、端末装置は、第５の実施形態に係る階床設定システム１ｄに専用の装置であってもよい。
【０１０８】
端末接続部２８は、端末装置と有線通信により接続される。これに限らず、端末接続部２８と端末装置とが無線通信にて接続されてもよい。端末装置は、後述する、第５の実施形態に係る表示を行うための表示プログラムが実行可能に搭載される。
【０１０９】
第５の実施形態に係る制御装置２０ｄによる処理は、上述の、図５、図７、図１０および図１２に示した各フローチャートによる処理を含むものとなる。
【０１１０】
例えば、制御装置２０ｄは、図５のフローチャートにおけるステップＳ１００で階床自動設定スイッチ２１がＯＮ操作されたと判定した場合（ステップＳ１００、「Ｙｅｓ」）、その旨を状態記憶部２７に記憶させ、処理をステップＳ１０１に移行させる。制御装置２０ｄは、ステップＳ１０１により階床設定システム１ｄの動作モードが階床設定モードに切り替わると、制御装置２０ｄは、その旨を状態記憶部２７に記憶する。制御装置２０ｄは、各ホールコントロール基板３０ａにおいて測定された電源の電圧値ｖnを取得する。
【０１１１】
ステップＳ１０１の処理の後、制御装置２０ｄにより、図７のフローチャートにおけるステップＳ２００およびステップＳ２０１の処理と、図１２のフローチャートにおけるステップＳ４００およびステップＳ４０１の処理とが実行される。
【０１１２】
ステップＳ２００およびステップＳ２０１の処理により、各ホールコントロール基板３０ａにおいて、電圧測定部３１により測定された電源の電圧値ｖnに基づき固有の通信アドレスが生成され、アドレス書き換え完了通知が各ホールコントロール基板３０ａから制御装置２０ｄに送信される。制御装置２０ｄは、各ホールコントロール基板３０ａからのアドレス書き換え完了通知を受信したか否かを判定する（図７のステップＳ２０１参照）。制御装置２０ｄは、この判定結果を示す情報を状態記憶部２７に記憶する。
【０１１３】
ステップＳ４００およびステップＳ４０１の処理により、制御装置２０ｄは、各ホールコントロール基板３０ａから取得した電源の電圧値ｖnの数が物件の階床数と一致するか否かを判定する（図１２のステップＳ４０１参照）。制御装置２０は、この判定結果を示す情報を状態記憶部２７に記憶する。
【０１１４】
制御装置２０ｄは、ステップＳ２０１において各ホールコントロール基板３０ａからのアドレス書き換えが完了通知を受信したと判定し（ステップＳ２０１、「Ｙｅｓ」）、且つ、ステップＳ４０１において各ホールコントロール基板３０ａから取得した電源の電圧値ｖnの数が物件の階床数と一致したと判定した（ステップＳ４０１、「Ｙｅｓ」）場合に、処理を例えば図５のフローチャートにおけるステップＳ１０２に移行する。
【０１１５】
制御装置２０ｄにおいて、階床特定部２２は、ステップＳ１０２およびステップＳ１０３で、各ホールコントロール基板３０ａから取得した電源の電圧値ｖnに基づき、各ホールコントロール基板３０ａの階床１５を特定する。
【０１１６】
ステップＳ１０３の処理の後、制御装置２０ｄにより、図１０のステップＳ３００およびステップＳ３０１の処理が実行される。制御装置２０ｄは、予め求めた電圧降下理論曲線２００と、各ホールコントロール基板３０ａから取得した電源の電圧値ｖnとを比較して、異常な電圧値が含まれるか否かを判定する（図１０のステップＳ３０１参照）。制御装置２０ｄは、この判定結果を示す情報を状態記憶部２７に記憶する。
【０１１７】
制御装置２０ｄは、ステップＳ３０１において、各ホールコントロール基板３０ａから取得した電源の電圧値ｖnに異常な電圧値が含まれないと判定した場合（ステップＳ３０１、「Ｎｏ」）、処理を例えば図５のステップＳ１０４に移行させる。
【０１１８】
ステップＳ１０４で、制御装置２０ｄは、階床特定部２２により、各ホールコントロール基板３０ａに予め設定されている通信アドレスに、特定した階床１５を示す情報を割り当てる。階床特定部２２は、各ホールコントロール基板３０ａの通信アドレスに対する階床１５を示す情報の割り当てが完了すると、その旨を状態記憶部２７に記憶させ、例えば表示灯群２３に含まれる設定完了表示灯を点灯させる。
【０１１９】
その後、制御装置２０ｄは、ステップＳ１０５で階床自動設定スイッチ２１がＯＦＦ操作されたと判定した場合（ステップＳ１０５、「Ｙｅｓ」）、その旨を状態記憶部２７に記憶させ、ステップＳ１０６で階床設定モードを終了させる。
【０１２０】
次に、第５の実施形態に係る、端末装置に対する情報の表示について、より具体的に説明する。制御装置２０ｄは、例えば、端末装置から端末接続部２８を介して送信される要求に応じて、状態記憶部２７に記憶される、階床設定モードにおける各状態を示す情報を読み出す。制御装置２０ｄは、状態記憶部２７から読み出した当該情報を、端末接続部２８を介して端末装置に送信する。すなわち、制御装置２０ｄは、状態記憶部２７から読み出した情報を端末装置に送信する送信部の機能を含む。端末装置は、制御装置２０ｄから送信された情報を、表示制御部の制御により表示部に表示させる。
【０１２１】
図１４は、第５の実施形態に係る、端末装置の表示部に表示される情報を説明するための図である。図１４において、端末装置５０は、端末接続部２８を介して制御装置２０ｄに接続される。端末装置５０は、例えば作業員１４の操作に応じて起動された第５の実施形態に係る表示プログラムに従い、端末接続部２８を介して、制御装置２０ｄに対して状態記憶部２７に記憶される情報の読み出しを要求する。制御装置２０ｄは、この要求に応じて状態記憶部２７から情報を読み出し、端末装置５０に送信する。
【０１２２】
端末装置５０は、制御装置２０ｄから端末接続部２８を介して受信した、状態記憶部２７から読み出された情報に基づき、画面表示情報５００を生成する。端末装置５０は、生成した画面表示情報５００に基づく画面を、端末装置５０の表示部に表示させる。
【０１２３】
画面表示情報５００は、階床設定モードの開始および終了を示す情報５１０と、階床設定モードの各フロー完了状態を示す情報５２０と、異常状態を示す情報５３０とを含む。階床設定モードの開始および終了を示す情報５１０は、階床自動設定スイッチ２１のＯＮ操作およびＯＦＦ操作を示すスイッチＯＮ／ＯＦＦ通知５１１を含む。スイッチＯＮ／ＯＦＦ通知５１１は、例えばステップＳ１００およびステップＳ１０６の処理において取得される情報である。
【０１２４】
階床設定モードの各フロー完了状態を示す情報５２０は、アドレス書き換え完了通知５２１と、電源電圧値取得完了通知５２２と、階床特定完了通知５２３と、を含む。アドレス書き換え完了通知５２１は、例えばステップＳ２０１において各ホールコントロール基板３０ａからのアドレス書き換えが完了通知を受信したと判定された場合（ステップＳ２０１、「Ｙｅｓ」）に取得される情報である。電源電圧値取得完了通知５２２は、例えばステップＳ３０１において各ホールコントロール基板３０ａから取得した電源の電圧値ｖnに異常な電圧値が含まれないと判定された場合（ステップＳ３０１、「Ｎｏ」）に取得される情報である。また、階床特定完了通知５２３は、例えばステップＳ１０４において各ホールコントロール基板３０ａの通信アドレスに対する階床１５を示す情報の割り当てが完了した場合に取得される情報である。
【０１２５】
異常状態を示す情報５３０は、アドレス書き換え異常通知５３１と、基板の通信異常通知５３２と、電源電圧値異常通知５３３と、を含む。アドレス書き換え異常通知５３１は、例えばステップＳ２０１において各ホールコントロール基板３０ａにおいてアドレスの書き換えが完了していないと判定された場合（ステップＳ２０１、「Ｎｏ」）に取得される情報である。基板の通信異常通知５３２は、例えばステップＳ４０１において計数した電圧値ｖnの数と物件の階床数とが一致しないと判定した場合（ステップＳ４０１、「Ｎｏ」）に取得される情報である。また、電源電圧値取得完了通知５２２は、例えばステップＳ３０１において各ホールコントロール基板３０ａから取得した電源の電圧値ｖnに異常な電圧値が含まれると判定された場合（ステップＳ３０１、「Ｙｅｓ」）に取得される情報である。
【０１２６】
異常状態を示す情報５３０に含まれる各情報（アドレス書き換え異常通知５３１、基板の通信異常通知５３２および電源電圧値異常通知５３３）は、それぞれエラーコード化し、対応する対策マニュアル５３４を表示させる。対策マニュアル５３４は、例えば予め作成し、端末装置５０のストレージに記憶しておく。端末装置に搭載される、第５の実施形態に係る表示プログラムに対策マニュアル５３４を含めておいてもよい。
【０１２７】
第５の実施形態に係る階床設定システム１ｄは、階床設定モードの各状態を示す情報を記憶する状態記憶部２７を含む。階床設定システム１ｄは、状態記憶部２７に記憶される情報を、端末接続部２８に接続される端末装置５０に送信し、端末装置の表示部に画面表示情報５００に基づく画面を表示させることができる。
【０１２８】
そのため、端末装置５０の表示部に表示される画面表示情報５００に基づく画面を閲覧することで、階床自動設定スイッチ２１のＯＮおよびＯＦＦ状態確認、階床設定モードの開始および終了状態確認、アドレス書き換え完了や電源電圧値の取得や階床の特定などのフローの完了状態確認が可能となる。また、画面表示情報５００に基づく画面を閲覧することで、アドレス書き換え異常や、基板の通信異常、電源電圧値の異常などの確認も可能となる。これにより、異常箇所の特定が端末装置５０の画面を閲覧することで可能となり、エレベータの階床設定における作業員の負担を軽減することが可能である。
【０１２９】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３０】
１，１ａ，１ｂ，１ｃ，１ｄ…階床設定システム、１０…エレベータ、１５…階床、２０，２０ｂ，２０ｃ，２０ｄ…制御装置、２１…階床自動設定スイッチ、２２…階床特定部、２３…表示灯群、２４，２４ｂ，２４ｄ，３２…通信部、２５…電圧値確認部、２６…通信確認部、２７…状態記憶部、２８…端末接続部、３０，３０ａ，３０Ａ，３０Ｂ，３０Ｃ，３０Ｄ，３０Ｅ…ホールコントロール基板、３１…電圧測定部、３３…基板制御部、５０…端末装置、３３０…アドレス設定部、３３１…アドレス記憶部、５００…画面表示情報
【図１】
2019214471.tif 000003
【図２】
2019214471.tif 000004
【図３】
2019214471.tif 000005
【図４】
2019214471.tif 000006
【図５】
2019214471.tif 000007
【図６】
2019214471.tif 000008
【図７】
2019214471.tif 000009
【図８】
2019214471.tif 000010
【図９】
2019214471.tif 000011
【図１０】
2019214471.tif 000012
【図１１】
2019214471.tif 000013
【図１２】
2019214471.tif 000014
【図１３】
2019214471.tif 000015
【図１４】
2019214471.tif 000016
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
複数の階床に１対１で対応し、且つ、それぞれが、対応する階床に設置されるホール制御装置に供給される電源の電圧値を測定する複数の電圧測定部と、
前記複数の電圧測定部により測定された複数の前記電圧値に基づき前記ホール制御装置の階床を特定する階床特定部と、を備え
前記ホール制御装置に含まれる、
エレベータの運行を制御する中央制御装置が該ホール制御装置と通信を行うための通信アドレスを記憶するアドレス記憶部と、
前記アドレス記憶部に記憶される前記通信アドレスを、前記複数の電圧測定部のうち該ホール制御装置が含む電圧測定部により測定された前記電圧値に応じて書き換えるアドレス設定部と、をさらに備える
ことを特徴とする階床設定システム。
【請求項２】
前記複数の電圧測定部により測定された複数の前記電圧値と、前記複数の階床に設置された複数の前記ホール制御装置の数と、に基づき、前記複数の電圧測定部が正常動作しているか否かを判定する電圧値確認部をさらに備える
ことを特徴とする請求項１に記載の階床設定システム。
【請求項３】
前記電圧値確認部は、
前記ホール制御装置の数に基づき電圧降下理論曲線を算出し、該電圧降下理論曲線と、前記複数の電圧測定部により測定された複数の前記電圧値と、を比較することで前記判定を実行する
ことを特徴とする請求項２に記載の階床設定システム。
【請求項４】
前記複数の電圧測定部により測定された前記複数の電圧値が含む電圧値の数と、前記複数の階床が含む階床の数と、に基づき、エレベータの運行を制御する中央制御装置が前記複数の階床に設置された複数の前記ホール制御装置と正常に通信可能か否かを確認する通信確認部をさらに備え、
前記通信確認部で通信可能でないことが確認された場合に通信異常を報知する
ことを特徴とする請求項１乃至３の何れか１項に記載の階床設定システム。
【請求項５】
前エレベータの運行を制御する中央制御装置が前記ホール制御装置と通信するための該ホール制御装置の通信アドレスを、前記複数の階床のうち前記階床特定部により該ホール制御装置に対して特定された階床に応じて設定する設定部をさらに備える
ことを特徴とする請求項１乃至請求項４の何れか１項に記載の階床設定システム。
【請求項６】
端末装置を接続する端末接続部と、
前記階床特定部が前記階床の特定を行う階床設定モードにおける状態を記憶する状態記憶部と、
前記状態記憶部に記憶される前記状態に基づく情報を前記端末接続部に接続された前記端末装置に送信する送信部と、
をさらに備える
ことを特徴とする請求項１乃至請求項５の何れか１項に記載の階床設定システム。 
【手続補正２】
【補正対象書類名】明細書
【補正対象項目名】０００５
【補正方法】変更
【補正の内容】
【０００５】
実施形態の階床設定システムは、複数の階床に１対１で対応し、且つ、それぞれが、対応する階床に設置されるホール制御装置に供給される電源の電圧値を測定する複数の電圧測定部と、前記複数の電圧測定部により測定された複数の前記電圧値に基づき前記ホール制御装置の階床を特定する階床特定部と、を備え前記ホール制御装置に含まれる、エレベータの運行を制御する中央制御装置が該ホール制御装置と通信を行うための通信アドレスを記憶するアドレス記憶部と、前記アドレス記憶部に記憶される前記通信アドレスを、前記複数の電圧測定部のうち該ホール制御装置が含む電圧測定部により測定された前記電圧値に応じて書き換えるアドレス設定部と、をさらに備える。